(57)【要約】【課題】媒体を収納する際の騒音を低減し得るようにする。【解決手段】現金自動預払機１の紙幣入出金機１０は、リジェクト庫１７内で回転させる羽根車３８において、紙幣ＢＬに叩き付ける羽根部４２の先端側４２Ｅにおける左右方向の幅Ｂ２を、根元４２Ｒ及びその近傍における幅Ｂ１よりも短くした。これにより羽根車３８は、羽根部４２の根元４２Ｒにおいて、紙幣ＢＬに叩き付けられる際の衝撃に耐え得る十分な強度を確保できる一方、先端４２Ｅの近傍において、その質量を軽減でき、放出部３５から放出された紙幣ＢＬに叩き付けられる際に発生する騒音を低減させることができる。【選択図】図４
2015191329.tif 000002
【特許請求の範囲】
【請求項１】
紙葉状の媒体を収納する媒体収納装置に設けられ、所定の中心軸を中心に回転する羽根車であって、
前記中心軸に取り付けられる中心部と、
前記中心部から外方へ向かう放射方向に沿って形成され、当該放射方向と交差する交差方向に関する長さである交差方向長に関し、前記中心部に近い根元側よりも前記中心部から遠い先端側が短く形成された羽根部と
を具えることを特徴とする羽根車。
【請求項２】
前記羽根部は、前記中心軸に沿った方向の長さに関し、前記根元側よりも前記先端側の方が短い
ことを特徴とする請求項１に記載の羽根車。
【請求項３】
前記羽根部は、回転時に軌跡を描く周方向の長さに関し、前記根元側よりも前記先端側の方が短い
ことを特徴とする請求項１に記載の羽根車。
【請求項４】
紙葉状の媒体を集積して収容する収容空間と、
前記媒体を前記収容空間内へ放出する放出部と、
前記収容空間における前記放出部と反対側に位置し、前記媒体が衝突する衝突部と、
前記収容空間の前記放出部側に設けられた中心軸を中心に回転する中心部及び当該中心部から外方へ向かう放射方向に沿って形成された羽根部を有し、前記放出部から放出され前記衝突部に衝突した前記媒体に前記羽根部を叩き付ける羽根車と
を具え、
前記羽根部は、放射方向と交差する交差方向に関する長さである交差方向長に関し、前記中心部に近い根元側よりも前記中心部から遠い先端側を短く形成した
ことを特徴とする媒体収納装置。
【請求項５】
前記羽根部は、前記先端側の領域うち、前記収容空間内へ放出された前記媒体に叩き付けられる叩付領域の全範囲において、前記根元側よりも前記交差方向を短く形成した
ことを特徴とする請求項４に記載の媒体収納装置。
【請求項６】
前記中心軸は、前記収容空間の前記放出部側に設けられ、
前記衝突部は、前記放出部から放出され前記収容空間内を進行する進行方向に沿った長さが相違する複数種類の前記媒体が衝突し、
前記羽根部は、少なくとも前記進行方向に沿った長さが最も短い前記媒体に叩き付けられる最短叩付領域において、前記根元側よりも前記交差方向長を短く形成した
ことを特徴とする請求項５に記載の媒体収納装置。
【請求項７】
前記羽根部は、前記進行方向に沿った長さが最も長い前記媒体に叩き付けられる最長叩付領域において、前記根元側よりも前記交差方向長を短く形成した
ことを特徴とする請求項６に記載の媒体収納装置。
【請求項８】
前記羽根部は、前記最長叩付領域において、前記交差方向長を一定に形成した
ことを特徴とする請求項７に記載の媒体収納装置。
【請求項９】
前記羽根部は、前記根元側から前記先端側へ向かうに連れて前記交差方向長が短縮されていき、且つ前記最長叩付領域及びそれ以外の非叩付領域において、放射方向に沿った長さ当たりの短縮割合が互いに相違する
ことを特徴とする請求項７に記載の媒体収納装置。
【請求項１０】
前記収容空間内において、前記放出部から前記放出された前記媒体における紙面の法線に沿った集積方向に沿って移動し、前記羽根車の前記羽根部が叩き付けられた前記媒体を載置するステージ
をさらに具え、
前記羽根車は、前記放出部から放出され前記衝突部に衝突した前記媒体に加えて、前記ステージに載置された前記媒体に対し前記羽根部を叩き付け、
前記羽根部は、前記先端側のうち、前記ステージに載置された前記媒体に叩き付けられる載置叩付部分において、前記根元側よりも前記交差方向長が短い
ことを特徴とする請求項４に記載の媒体収納装置。
【請求項１１】
取引対象となる紙葉状の媒体を搬送する搬送部と、
前記媒体を集積して収容する収容空間と、
前記搬送部により搬送された前記媒体を前記収容空間内へ放出する放出部と、
前記収容空間における前記放出部と反対側に位置し、前記媒体が衝突する衝突部と、
前記収容空間の前記放出部側に設けられた中心軸を中心に回転する中心部及び当該中心部から外方へ向かう放射方向に沿って形成された羽根部を有し、前記放出部から放出され前記衝突部に衝突した前記媒体に前記羽根部を叩き付ける羽根車と
を具え、
前記羽根部は、放射方向と交差する交差方向に関する長さである交差方向長に関し、前記中心部に近い根元側よりも前記中心部から遠い先端側を短く形成した
ことを特徴とする媒体取引装置。
【発明の詳細な説明】
【技術分野】
【０００１】
本発明は羽根車、媒体収納装置及び媒体取引装置に関し、例えば紙幣のような紙葉状の媒体を投入して所望の取引を行う現金自動預払機（ＡＴＭ）等に適用して好適なものである。
【背景技術】
【０００２】
従来、金融機関等で使用される現金自動預払機においては、顧客との取引内容に応じて、例えば顧客に紙幣や硬貨等の現金を入金させ、また顧客へ現金を出金するものが広く普及している。
【０００３】
このような現金自動預払機として、例えば顧客との間で紙幣の授受を行う接客部と、紙幣を搬送する搬送部と、投入された紙幣の金種及び真偽を鑑別する鑑別部と、投入された紙幣を一時的に保留する一時保留部と、金種ごとに紙幣を収納する紙幣収納庫と、再利用すべきでない紙幣を収納するリジェクト庫とを有するものが提案されている。
【０００４】
このうちリジェクト庫は、例えば筐体内に紙幣を集積する収容空間を形成し、収容空間内に設けられ上面に紙幣を載置するステージと、この収容空間へ紙幣を搬送する搬送路と、紙幣の紙面を上下に向けた状態で収容空間内へ紙幣を放出する放出部と、収容空間内に放出された紙幣と衝突して衝撃を吸収するビルストッパと、羽根車とが設けられている。
【０００５】
この羽根車は、例えば放出部の近傍に配置されており、中心軸を中心に回転する小さな円柱状の中心部と、この中心部の周側面から外方へ放射状に伸びる複数の羽根部とにより構成される。この羽根部は、可撓性を有する部材で構成されており、ある程度の柔軟性と剛性とを併せ持っている（例えば、特許文献１参照）。
【０００６】
リジェクト庫は、紙幣を収納する際、搬送部から受け渡された紙幣を搬送路に沿って搬送して放出部から収容空間内へ放出し、当該紙幣をビルストッパに衝突させた後、回転する羽根車の羽根部により下方へ叩き付けてステージ上に載置させ、集積した状態で収納していく。
【先行技術文献】
【特許文献】
【０００７】
【特許文献１】特開２００７−１４５５４７号公報（第１図）
【発明の概要】
【発明が解決しようとする課題】
【０００８】
ところでリジェクト庫は、短辺方向の長さが異なる紙幣を収納する場合、収容空間における放出部からビルストッパまでの長さを、短辺方向の長さが最も長い紙幣に合わせて比較的長く構成する必要がある。その一方でこのリジェクト庫では、短辺方向の長さが最も短い紙幣がこの収容空間内に放出されビルストッパに衝突した位置において、当該紙幣の端部を羽根車の羽根部により確実に叩き付ける必要がある。すなわちリジェクト庫では、紙幣の大きさが一定である場合と比較して、羽根部を長く構成する必要がある。
【０００９】
しかしながらリジェクト庫では、紙幣の収納時に柔軟性及び剛性を併せ持つ羽根部を紙幣に叩き付けるため、このときあたかも鞭を当該紙幣に叩き付けるかのように、打撃音による騒音が発生する。特にリジェクト庫は、羽根部が長くなることに伴い、その回転半径が拡大されて周回速度が速まるため、当該羽根部を紙幣に叩き付ける際の打撃音、すなわち騒音が大きくなる、という問題があった。
【００１０】
本発明は以上の点を考慮してなされたもので、媒体を収納する際の騒音を低減し得る羽根車、媒体収納装置及び媒体取引装置を提案しようとするものである。
【課題を解決するための手段】
【００１１】
かかる課題を解決するため本発明の羽根車においては、紙葉状の媒体を収納する媒体収納装置に設けられ、所定の中心軸を中心に回転する羽根車であって、中心軸に取り付けられる中心部と、中心部から外方へ向かう放射方向に沿って形成され、当該放射方向と交差する交差方向に関する長さである交差方向長に関し、中心部に近い根元側よりも中心部から遠い先端側が短く形成された羽根部とを設けるようにした。
【００１２】
また本発明の媒体収納装置においては、紙葉状の媒体を集積して収容する収容空間と、媒体を収容空間内へ放出する放出部と、収容空間における放出部と反対側に位置し、媒体が衝突する衝突部と、収容空間の放出部側に設けられた中心軸を中心に回転する中心部及び当該中心部から外方へ向かう放射方向に沿って形成された羽根部を有し、放出部から放出され衝突部に衝突した媒体に羽根部を叩き付ける羽根車とを設け、羽根部は、放射方向と交差する交差方向に関する長さである交差方向長に関し、中心部に近い根元側よりも中心部から遠い先端側を短く形成するようにした。
【００１３】
さらに本発明の媒体取引装置においては、取引対象となる紙葉状の媒体を搬送する搬送部と、媒体を集積して収容する収容空間と、搬送部により搬送された媒体を収容空間内へ放出する放出部と、収容空間における放出部と反対側に位置し、媒体が衝突する衝突部と、収容空間の放出部側に設けられた中心軸を中心に回転する中心部及び当該中心部から外方へ向かう放射方向に沿って形成された羽根部を有し、放出部から放出され衝突部に衝突した媒体に羽根部を叩き付ける羽根車とを設け、羽根部は、放射方向と交差する交差方向に関する長さである交差方向長に関し、中心部に近い根元側よりも中心部から遠い先端側の方を短く形成するようにした。
【００１４】
本発明は、羽根部の先端側における交差方向長を短くするため、先端近傍における質量を低減でき、羽根車の回転時に羽根部の先端近傍において生じる運動エネルギーを削減して、当該羽根部が媒体に衝突する際に発生する騒音を低減させることができる。
【発明の効果】
【００１５】
本発明によれば、羽根部の先端側における交差方向長を短くすることにより、先端近傍における質量を低減できるので、羽根車の回転時に羽根部が媒体に衝突する際に発生する騒音を低減させることができる。かくして本発明は、媒体を収納する際の騒音を低減し得る羽根車、媒体収納装置及び媒体取引装置を実現できる。
【図面の簡単な説明】
【００１６】
【図１】現金自動預払機の構成を示す略線的斜視図である。
【図２】紙幣入出金機の構成を示す略線図である。
【図３】リジェクト庫の構成を示す略線図である。
【図４】第１の実施の形態による羽根車の構成を示す略線図である。
【図５】第２の実施の形態による羽根車の構成を示す略線図である。
【図６】他の実施の形態による羽根車の構成を示す略線図である。
【図７】他の実施の形態による羽根車の構成を示す略線図である。
【発明を実施するための形態】
【００１７】
以下、発明を実施するための形態（以下実施の形態とする）について、図面を用いて説明する。
【００１８】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行う。
【００１９】
筐体２は、その前側に顧客が対峙した状態で紙幣の投入やタッチパネルによる操作等をしやすい箇所に顧客応対部３が設けられている。顧客応対部３は、顧客との間で現金や通帳等を直接やり取りすると共に、取引に関する情報の通知や操作指示の受付を行うようになっており、カード入出口４、入出金口５、操作表示部６、テンキー７、及びレシート発行口８が設けられている。
【００２０】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣ＢＬが排出される部分である。また入出金口５は、シャッタを駆動することにより開放又は閉塞するようになっている。因みに紙幣は、例えば長方形の紙で構成されている。
【００２１】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２２】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２３】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２４】
紙幣入出金機１０は、図２に側面図を示すように、内部に紙幣に関する種々の処理を行う複数の部分が組み込まれている。また紙幣入出金機１０の各部分は、紙幣制御部１１により制御される。紙幣制御部１１は、主制御部９と同様、図示しないＣＰＵを中心に構成されており、各種のプログラムを読み出して実行することにより種々の処理を行う。また紙幣制御部１１は、内部に有する記憶部に種々の情報を記憶させる。
【００２５】
紙幣制御部１１は、例えば顧客が紙幣を入金する入金取引を行う場合、操作表示部６（図１）を介して所定の操作入力を受け付けた後、シャッタを開いて入出金部１２内に設けられた収容器１２Ａへ紙幣を投入させる。
【００２６】
入出金部１２は、収容器１２Ａに紙幣が投入されると、シャッタ１２Ｂを閉じて当該収容器１２Ａ内から紙幣を１枚ずつ取り込み、搬送部１３へ受け渡す。搬送部１３は、複数のローラやベルト等により構成されており、紙幣を短辺方向に沿って進行させ、鑑別部１４へ搬送する。鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００２７】
このとき紙幣制御部１１は、搬送部１３を制御することにより、鑑別部１４において正常紙幣と鑑別された紙幣を一時保留部１５へ搬送する等して一時的に収納する一方、取引すべきでないと鑑別されたリジェクト紙幣を入出金部１２へ搬送して顧客に返却する。その後紙幣制御部１１は、投入された紙幣の合計金額を集計して操作表示部６に表示すると共に、入金取引を継続するか否かを顧客に選択させる。
【００２８】
ここで紙幣制御部１１は、顧客により入金取引の継続が指示された場合、一時保留部１５に保留している全ての紙幣を搬送部１３により鑑別部１４へ搬送してその金種及び損傷の程度等を鑑別させ、その鑑別結果を取得する。
【００２９】
そして紙幣制御部１１は、紙幣の損傷の程度が小さければ、これを再利用すべき紙幣として搬送部１３により搬送させ、その金種に応じた紙幣収納庫１６に振り分けて収納させる。また紙幣制御部１１は、紙幣の損傷の程度が大きければ、これを再利用すべきでないリジェクト紙幣として搬送部１３によりリジェクト庫１７へ搬送して収納させる。因みに紙幣制御部１１は、顧客により入金取引の中止が指示された場合、一時保留部１５に保留している全ての紙幣を搬送部１３により入出金部１２へ搬送して顧客に返却する。
【００３０】
また紙幣制御部１１は、例えば顧客が紙幣を出金する出金取引を行う場合、操作表示部６（図１）を介して所定の操作入力を受け付けた後、出金すべき金額に応じた紙幣を紙幣収納庫１６から繰り出させ、搬送部１３により鑑別部１４へ搬送させる。続いて紙幣制御部１１は、この紙幣を鑑別部１４により鑑別させた上で、搬送部１３により入出金部１２へ搬送して収容器１２Ａ内に集積させ、シャッタ１２Ｂを開いて顧客に取り出させる。
【００３１】
このようにリジェクト庫１７は、入金取引において顧客から入金された紙幣のうち、再利用すべきでないと鑑別されたリジェクト紙幣を内部に収納するようになっている。
【００３２】
因みに紙幣入出金機１０は、紙幣を搬送する際、その短辺を進行方向に合わせて、すなわち短辺方向に沿って進行させる。また紙幣入出金機１０は、複数種類の紙幣を取り扱うようになっている。これらの紙幣には、長辺及び短辺の長さが他の種類の紙幣とは異なるものも含まれている。
【００３３】
［１−２．リジェクト庫の構成］
リジェクト庫１７は、図３に模式的に示すように、直方体状の筐体３０内に媒体としての紙幣ＢＬを取り込んで集積するようになっている。また説明の都合上、図３及び以降の図においては、一部の部品を透過させている箇所や省略している箇所がある。
【００３４】
筐体３０は前後、左右及び上下の各側面をほぼ閉塞しており、内部に集積された紙幣や各部品等を保護する。また筐体３０内には、直方体状の収容空間３０Ｓが形成されている。この収容空間３０Ｓ内には、平板状のステージ３１が設けられている。ステージ３１は、収容空間３０Ｓ内で板面をほぼ水平に向けており、収納すべき紙幣ＢＬを当該ステージ３１の上面に重ねて集積する。
【００３５】
また筐体３０内には、ステージ３１を上下に移動させるステージ移動部３２が組み込まれている。このステージ移動部３２は、図示しないモータやギア、ベルト等の組み合わせにより構成されており、紙幣制御部１１（図２）の制御に基づき、ステージ３１を上下方向へ移動させる。
【００３６】
筐体３０における後側上寄りの位置には、収容空間３０Ｓの後上側部分と外部の空間とを連通させるように、紙幣を前後方向に案内する搬送ガイド３４が設けられている。搬送ガイド３４の前端近傍、すなわち収容空間３０Ｓの後側部３０Ｒにおける上端近傍には、当該収容空間３０Ｓ内へ紙幣ＢＬを放出する放出部３５と、複数の舌片を有する羽根車３８とが設けられている。
【００３７】
放出部３５は、上側のフィードローラ３６及び下側のリバースローラ３７により構成される。フィードローラ３６及びリバースローラ３７は、いずれも円柱状に形成され、紙幣の搬送路を挟んで対向している。
【００３８】
因みに各ローラは、左右方向を向いた中心軸に沿って複数が互いに間隔を空けて配置されており、この中心軸を中心としてそれぞれ回転可能に構成されている。また各ローラ等は、図示しないモータやギア等から駆動力が伝達される。
【００３９】
羽根車３８は、下側のリバースローラ３７と同一の中心軸に取り付けられており、当該中心軸に取り付けられた中心部４１と、当該中心部４１から放射状に外方へ向かう複数の羽根部４２とにより構成されている（詳しくは後述する）。因みに後側部３０Ｒは、羽根部４２に合わせた形状の孔部が適宜形成されており、紙幣ＢＬを収容空間３０Ｓ内に止めつつ、羽根車３８の回転を妨げないようになっている。
【００４０】
また筐体３０の前側部３０Ｆにおける上端近傍には、左右に所定の間隔を空けて２個のビルストッパ３９が設けられている。ビルストッパ３９は、上下方向に細長い小さな直方体状に形成されており、前側部３０Ｆに対し、図示しない弾性体を介して取り付けられている。
【００４１】
このビルストッパ３９は、放出部３５から放出された紙幣ＢＬが衝突すると、弾性体の作用により僅かに前方へ移動しながら当該紙幣ＢＬの衝撃を吸収し、また弾性体の復元作用により僅かに後方へ移動しながら当該紙幣を僅かに押し戻す。
【００４２】
次に、リジェクト庫１７に紙幣ＢＬを収納する収納動作について説明する。紙幣制御部１１は、搬送部１３からリジェクト庫１７へ受け渡される紙幣ＢＬを収納させる場合、まずステージ移動部３２を制御して、ステージ３１の上面又は当該ステージ３１上に集積されている紙幣ＢＬの最上面（以下これを載置最上面と呼ぶ）を所定の高さに合わせる。
【００４３】
またリジェクト庫１７は、紙幣制御部１１の制御に基づき、放出部３５のフィードローラ３６を図３における反時計回りに回転させると共にリバースローラ３７及び羽根車３８をその反対方向である時計回りに回転させる。因みにフィードローラ３６、リバースローラ３７及び羽根車３８の回転速度は、搬送部１３（図２）から搬送されてくる紙幣の進行速度等に合わせて定められている。
【００４４】
リジェクト庫１７は、搬送部１３（図２）から紙幣ＢＬが受け渡されると、これを搬送ガイド３４により案内しながら前方へ進行させ、この紙幣ＢＬを放出部３５のフィードローラ３６及びリバースローラ３７により上下から挟み、前方へ送り出すようにして収容空間３０Ｓ内へ放出する。収容空間３０Ｓ内へ放出された紙幣ＢＬは、その先端（すなわち前端）をビルストッパ３９の後面に衝突させ、その衝撃が吸収された上で僅かに後方へ押し戻される。
【００４５】
回転する羽根車３８は、紙幣ＢＬの後端部を下方の載置最上面へ、すなわちステージ３１の上面又は当該ステージ３１上に集積されている紙幣ＢＬの最上面に叩き落とす。さらに羽根車３８は、紙幣ＢＬを下方へ押さえ付けながら、羽根部４２の摩擦により当該紙幣ＢＬを後方へ引き寄せ、その後端を筐体３０の後側部３０Ｒにおける前面側に当接させる。
【００４６】
その後リジェクト庫１７は、一連の動作を繰り返すことにより、搬送部１３から順次受け渡される紙幣ＢＬをステージ３１上に順次集積していく。これと並行して紙幣制御部１１は、ステージ３１を適宜下方へ移動させ、載置最上面の上方に紙幣ＢＬの放出に必要な空間を確保し続ける。
【００４７】
このようにリジェクト庫１７は、放出部３５により収容空間３０Ｓ内へ放出した紙幣ＢＬがその前端をビルストッパ３９に衝突させると、羽根車３８の羽根部４２を当該紙幣ＢＬの後端に叩き付けてステージ３１上に落下させ、集積させるようになっている。
【００４８】
［１−３．羽根車の構成］
次に、羽根車３８の構成について説明する。図４に示すように、羽根車３８は、中心部４１と複数の羽根部４２とにより構成される。中心部４１は、リバースローラ３７（図３）よりも半径が小さい円柱状に形成されており、その外周面から外方へ向けて４本の羽根部４２が立設されている。
【００４９】
羽根部４２は、中心部４１の中心から外方へ向かう方向である放射方向に沿った細長い棒状ないし板状に形成されており、弾性を有する樹脂材料により構成されている。また羽根部４２は、表面の摩擦係数が高められており、紙幣ＢＬとの間に摩擦力を発生させることができる。
【００５０】
この羽根部４２は、図４（Ａ）に拡大図を示すように、中心軸に沿った方向の長さ、すなわち左右方向の長さである幅が一様ではなく、中心部４１に近い根元４２Ｒにおける幅Ｂ１よりも、当該中心部４１から遠い先端４２Ｅにおける幅Ｂ２の方が短く（狭く）なっている。因みに羽根部４２は、回転時に軌跡を描く周方向に沿った長さ、すなわち図４における前後方向の長さである厚さについては、根元４２Ｒから先端４２Ｅまで一様な厚さＴ１となっている。
【００５１】
これを換言すれば、羽根部４２は、放射方向と交差する複数の交差方向のうち、中心軸に沿った方向である左右方向の長さに関しては根元４２Ｒよりも先端４２Ｅの方が短く、その一方で周方向に沿った前後方向の長さに関しては、根元４２Ｒ及び先端４２Ｅにおいて同等となっている。
【００５２】
ところでリジェクト庫１７は、上述したように短辺方向の長さが異なる複数種類の紙幣ＢＬを収納する。このため羽根車３８は、放出部３５から収容空間３０Ｓ内へ放出された紙幣ＢＬを羽根部４２により叩き付ける際、紙幣ＢＬと当接する範囲を当該紙幣ＢＬにおける短辺方向の長さに応じて相違させることになる。
【００５３】
また羽根部４２は、放射方向の長さである放射長Ｈ１が比較的長くなっている。このため羽根部４２は、リジェクト庫１７（図３）において短辺方向の長さが短い紙幣ＢＬが放出部３５から放出されてビルストッパ３９に衝突した際にも、その先端近傍を当該紙幣ＢＬの後端に叩き付けることができる。
【００５４】
例えば羽根部４２は、紙幣ＢＬにおける短辺方向の長さが最も短い場合、先端４２Ｅ近傍の最短叩付領域４２Ｓを当該紙幣ＢＬと当接させる。また羽根部４２、紙幣ＢＬにおける短辺方向の長さが最も長い場合、先端４２Ｅ近傍の最長叩付領域４２Ｌを当該紙幣ＢＬと当接させる。羽根部４２は、この最短叩付領域４２Ｓ及び最長叩付領域４２Ｌの全範囲において、左右方向の幅が根元４２Ｒにおける幅Ｂ１よりも短い幅Ｂ２又はこれに近い幅となっている。
【００５５】
さらに羽根車３８は、ステージ３１上に載置された紙幣ＢＬに対しても羽根部４２における先端４２Ｅ近傍を叩き付けることになるものの、このとき紙幣ＢＬと接触させる領域においても、左右方向の幅が根元４２Ｒにおける幅Ｂ１よりも短い幅Ｂ２又はこれに近い幅となっている。
【００５６】
［１−４．動作及び効果］
以上の構成において、第１の実施の形態による現金自動預払機１の紙幣入出金機１０は、リジェクト庫１７の羽根車３８において、羽根部４２における根元４２Ｒの幅Ｂ１よりも先端４２Ｅの幅Ｂ２を短く（狭く）した。
【００５７】
ここで、本実施の形態による羽根車３８との比較用に、従来の羽根車５８を図４（Ｂ）に示す。この羽根車５８の羽根部６２は、根元６２Ｒから先端６２Ｅまで、左右方向の幅が一様な幅Ｂ１となっている。
【００５８】
本実施の形態による羽根車３８（図４（Ａ））は、従来の羽根車５８（図４（Ｂ））と比較して、交差方向の長さである先端４２Ｅの幅Ｂ２を短くしたことにより、羽根部４２における先端４２Ｅ近傍の質量を削減することができる。すなわち羽根車３８は、所定の回転速度で回転する際に、先端４２Ｅ近傍において発生する運動エネルギーを従来よりも削減することができる。
【００５９】
これによりリジェクト庫１７は、収容空間３０Ｓ内に放出された紙幣ＢＬの後端を羽根車３８の羽根部４２により叩き付ける際、先端４２Ｅ近傍と紙幣ＢＬとの接触に伴って発生する打撃音の音量を、従来よりも格段に低減することができる。
【００６０】
またリジェクト庫１７は、短辺方向の長さが相違する複数種類の紙幣ＢＬを収納するため、短辺方向の長さが短い紙幣ＢＬに合わせて、羽根部４２における放射方向の長さＨ１が比較的長くなっている。このため羽根部４２は、特に短辺方向の長さが長い紙幣ＢＬに叩き付けられる場合、羽根部４２のうち比較的広い範囲である最長叩付領域４２Ｌ（図４（Ａ））を当該紙幣ＢＬに接触させることになり、発生する打撃音も比較的大きくなることが予想される。
【００６１】
この点において羽根部４２は、この最長叩付領域４２Ｌの全範囲における左右方向の幅を根元４２Ｒにおける幅Ｂ２よりも短く、すなわち従来よりも短くしているため、紙幣ＢＬと接触する面積を削減でき、発生する打撃音も極力小さく抑えることができる。
【００６２】
ところで、音の伝播に関する一般的な性質として、低域成分は直進性が低く、高域成分は直進性が高いことが知られている。すなわち、リジェクト庫１７内において発生した騒音のうち、低域成分は紙幣入出金機１０内の隙間等を伝って現金自動預払機１の外部へ伝わりやすい一方、高域成分はリジェクト庫１７、紙幣入出金機１０及び現金自動預払機１それぞれの筐体等により十分に減衰され、外部へ伝わり難い。
【００６３】
この点において羽根部４２は、先端４２Ｅ及びその近傍における左右方向の幅を従来よりも短くして紙幣ＢＬと接触する面積を削減したため、発生する打撃音の一部を高域にシフトさせることができる。これにより羽根部４２は、リジェクト庫１７内で発生する騒音を、現金自動預払機１の外部へ伝達されるまでの間に減衰させ、その音量を低減させることができる。
【００６４】
また羽根部４２は、根元４２Ｒにおける幅Ｂ１を従来の羽根車５８（図４（Ｂ））と同一とし、当該根元４２Ｒの近傍においてもその幅を当該幅Ｂ１と同等ないし僅かに短い程度としている。このため羽根部４２は、比較的高速で回転されながら先端４２Ｅ近傍が紙幣ＢＬに叩き付けられる際に発生する強い衝撃にも耐え得るような、十分な強度を確保できる。
【００６５】
さらに羽根部４２は、従来の羽根車５８（図４（Ｂ））と比較して、放射方向の長さである放射長Ｈ１を変化させていない。このため羽根部４２は、短辺方向の長さが短い紙幣ＢＬに対しても、先端４２Ｅ側の最短叩付領域４２Ｓを接触させることができ、当該紙幣ＢＬに対し下方へ叩き落とし得る十分な力を加えることができる。
【００６６】
そのうえ羽根車３８は、先端４２Ｅ近傍の幅Ｂ２が短くその質量が削減されているため、ステージ３１上に集積されている紙幣ＢＬに羽根部４２を叩き付ける際にも、発生する騒音を従来よりも低減させることができる。
【００６７】
以上の構成によれば、第１の実施の形態による現金自動預払機１の紙幣入出金機１０は、リジェクト庫１７内で回転させる羽根車３８において、紙幣ＢＬに叩き付ける羽根部４２の先端４２Ｅにおける左右方向の幅Ｂ２を、根元４２Ｒにおける幅Ｂ１よりも短くした。これにより羽根車３８は、羽根部４２の根元４２Ｒ及びその近傍において、紙幣ＢＬに叩き付けられる際の衝撃に耐え得る十分な強度を確保できる一方、先端４２Ｅの近傍において、その質量を軽減でき、放出部３５から放出された紙幣ＢＬに叩き付けられる際に発生する騒音を低減させることができる。
【００６８】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２及び図３）は、第１の実施の形態による紙幣入出金機１０と比較して、リジェクト庫１７に代わるリジェクト庫１１７を有する点において相違するものの、他の点については同様に構成されている。
【００６９】
リジェクト庫１１７は、第１の実施の形態によるリジェクト庫１７と比較して、羽根車３８に代わる羽根車１３８を有する点において相違するものの、他の点については同様に構成されている。羽根車１３８は、第１の実施の形態による羽根車３８と比較して、羽根部４２に代わる羽根部１４２を有する点において相違する一方、中心部４１については同様に構成されている。
【００７０】
羽根部１４２は、図４（Ａ）と対応する図５に示すように、羽根部４２と比較して、根元１４２Ｒにおいて幅Ｂ１であり且つ先端１４２Ｅにおいてこれより短い（狭い）幅Ｂ２である点で共通するものの、最長叩付領域１４２Ｌの全範囲において一定の幅Ｂ２となっている点で相違する。
【００７１】
なお説明の都合上、以下では最長叩付領域１４２Ｌにおける根元１４２Ｒ側の終端を境界線１４２Ｄとし、根元１４２Ｒから当該境界線１４２Ｄまでの長さを放射長Ｈ２とし、当該境界線１４２Ｄから先端１４２Ｅまでの長さを放射長Ｈ３とする。
【００７２】
以上の構成において、第２の実施の形態による現金自動預払機１０１の紙幣入出金機１１０は、リジェクト庫１１７の羽根車１３８において、羽根部１４２における根元１４２Ｒの幅Ｂ１よりも先端１４２Ｅの幅Ｂ２を短くし、且つ最長叩付領域１４２Ｌの全範囲において一定の幅Ｂ２とした。
【００７３】
このため羽根車１３８は、第１の実施の形態と同様、羽根部１４２における先端１４２Ｅ近傍の質量を従来の羽根車５８（図４（Ｂ））よりも削減できるので、回転時に当該先端１４２Ｅ近傍において発生する運動エネルギーを削減できる。これによりリジェクト庫１１７は、やはり第１の実施の形態と同様、羽根車１３８の羽根部１４２を紙幣ＢＬに叩き付ける際、先端１４２Ｅ近傍と紙幣ＢＬとの接触に伴って発生する打撃音の音量を、従来よりも格段に低減させることができる。
【００７４】
特に羽根部１４２は、根元１４２Ｒからの距離が放射長Ｈ２である境界線１４２Ｄの位置において左右方向の幅が幅Ｂ２であり、第１の実施の形態よりも短いため、先端１４２Ｅ近傍における質量を第１の実施の形態よりも削減できる。このため羽根車１３８は、羽根部１４２を紙幣ＢＬに叩き付ける際に発生する騒音を、第１の実施の形態よりもさらに低減させることができる。
【００７５】
その他の点においても、第２の実施の形態によるリジェクト庫１１７は、第１の実施の形態と同様の作用効果を奏し得る。
【００７６】
以上の構成によれば、第２の実施の形態による現金自動預払機１０１の紙幣入出金機１１０は、リジェクト庫１１７内で回転させる羽根車１３８において、紙幣ＢＬに叩き付ける羽根部１４２の先端１４２Ｅにおける左右方向の幅を、最長叩付領域１４２Ｌの全範囲に渡って、根元１４２Ｒにおける幅Ｂ１よりも短い幅Ｂ２とした。これにより羽根車１３８は、羽根部１４２の根元１４２Ｒ及びその近傍において、紙幣ＢＬに叩き付けられる際の衝撃に耐え得る十分な強度を確保できる一方、先端１４２Ｅの近傍において、その質量を軽減でき、放出部３５から放出された紙幣ＢＬに叩き付けられる際に発生する騒音を低減させることができる。
【００７７】
［３．他の実施の形態］
なお上述した第１の実施の形態においては、羽根部４２において放射方向と交差する複数の交差方向のうち一の交差方向である左右方向の幅に関し、根元４２Ｒにおける幅Ｂ１よりも先端４２Ｅにおける幅Ｂ２を短くする一方、他の交差方向である周方向に沿った長さ（図４における前後方向の長さ）、すなわち厚さについて、根元４２Ｒから先端４２Ｅまで一様な厚さＴ１とする場合について述べた。
【００７８】
しかしながら本発明はこれに限らず、例えば図４（Ａ）と対応する図６（Ａ）に示す羽根車２３８のように、羽根部２４２において左右方向の幅を根元２４２Ｒから先端２４２Ｅまで一様な幅Ｂ１とする一方、周方向の厚さについて根元２４２Ｒにおける厚さＴ１よりも先端２４２Ｅにおける厚さＴ２を薄く（すなわち短く）しても良い。
【００７９】
また、例えば図４（Ａ）と対応する図６（Ｂ）に示す羽根車３３８のように、左右方向の幅及び周方向の厚さの双方について、根元３４２Ｒにおける幅Ｂ１及び厚さＴ１よりも先端３４２Ｅにおける幅Ｂ２及び厚さＴ２をそれぞれ短く又は薄く（すなわち狭く）しても良い。
【００８０】
すなわち本発明では、羽根部における放射方向と交差する複数の交差方向うち少なくとも１方向の長さに関し、根元側よりも先端側を短くすれば良い。これにより本発明は、根元近傍における強度を十分に確保しながら、先端近傍における質量を従来の羽根車５８（図４（Ｂ））よりも削減して、羽根部が紙幣ＢＬに叩き付けられた際に発生する騒音を低減させることができる。第２の実施の形態についても同様である。
【００８１】
また上述した第１の実施の形態においては、羽根部４２において、根元４２Ｒから先端４２Ｅに至るまで、当該根元４２Ｒから放射方向の距離に応じて左右方向の幅が一定の割合で短くなるように、すなわち羽根部４２における左右の側面を、放射方向に対して傾斜した一様な平面とする場合について述べた（図４）。
【００８２】
しかしながら本発明はこれに限らず、例えば図７（Ａ）に模式化した平面図により示す羽根部４４２のように、左右の側面を、放射長Ｈ１よりも十分に短い放射長Ｈ３の範囲と、これよりも先端側の放射長Ｈ４の範囲において、放射方向に対して互いに異なる傾斜角度でなる２の平面を接合させた形状としても良い。また、例えば図７（Ｂ）に同様に模式化した平面図により示す羽根部５４２のように、左右の側面を種々の曲面により構成しても良い。羽根部４２における前後の側面についても同様であり、また第２の実施の形態についても同様である。
【００８３】
さらに上述した第１の実施の形態においては、羽根部４２における左右方向の幅に関し、短辺方向の長さが最も長い紙幣ＢＬが放出部３５から放出されビルストッパ３９に衝突した際に、その後端を叩き付ける最長叩付領域４２Ｌにおいて、根元４２Ｒよりも短くする場合について述べた。しかしながら本発明はこれに限らず、例えば短辺方向の長さが最も短い紙幣ＢＬの後端を叩き付ける最短叩付領域４２Ｓにおいてのみ根元４２Ｒよりも短くしても良く、或いは少なくともステージ３１上に集積されている紙幣ＢＬに叩き付ける領域において、幅を根元４２Ｒよりも短くするようにしても良い。第２の実施の形態についても同様である。
【００８４】
さらに上述した第１の実施の形態においては、リジェクト庫１７においてステージ３１上に上下方向を集積方向として紙幣ＢＬを集積する場合に、放出部３５から紙面を上下に向けた状態で放出された紙幣ＢＬを羽根部４２により下方へ叩き付ける場合について述べた。しかしながら本発明はこれに限らず、例えば紙幣ＢＬの紙面を前後方向に向けて前後方向に沿って紙幣を集積させて収納する場合に、放出部から紙面を前後方向に向けた状態で紙幣ＢＬを放出させ、羽根部４２により当該紙幣ＢＬを前方向又は後方向へ叩き付けて集積させても良い。第２の実施の形態についても同様である。
【００８５】
さらに上述した第１の実施の形態においては、羽根車３８に４本の羽根部４２を設ける場合について述べた。しかしながら本発明はこれに限らず、例えば３本以下や５本以上等、任意の数の羽根部４２を羽根車３８に設けても良い。また羽根部４２については、例えば樹脂材料の成型加工等により中心部４１と一体に形成しても良く、或いは当該中心部４１とは別部品として製造し、当該中心部４１に取り付けるようにしても良い。具体的には、例えば中心部４１の外周面に中心軸に沿った溝や切れ込み等を形成し、１枚分又は２枚分の羽根部４２として成型された部品をこの溝や切れ込み等に差し込み又は挟み込むことで、中心部４１から放射方向に羽根部４２が延接された羽根車３８を構成することができる。第２の実施の形態についても同様である。
【００８６】
さらに上述した第１の実施の形態においては、本発明をリジェクト庫１７の羽根車３８に適用する場合について述べた。しかしながら本発明はこれに限らず、例えば紙幣収納庫１６や取忘収納庫１８、或いは入出金部１２等、紙幣を空間内へ放出し、これを回転する羽根車により所定方向へ叩き付けて集積する種々の箇所に適用しても良い。第２の実施の形態についても同様である。
【００８７】
さらに上述した第１の実施の形態においては、紙葉状の媒体である紙幣を顧客との間で取引する現金自動預払機１のリジェクト庫１７に本発明を適用する場合について述べた。しかしながら本発明はこれに限らず、例えば金融機関の窓口等に設置され当該金融機関の職員等が主に使用するテラーマシン、或いは金券や証券等のような種々の紙葉状の媒体を取り扱う種々の装置に本発明を適用しても良い。第２の実施の形態についても同様である。
【００８８】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００８９】
さらに上述した実施の形態においては、中心部としての中心部４１と、羽根部としての羽根部４２とによって羽根車としての羽根車３８を構成する場合について述べた。しかしながら本発明はこれに限らず、その他種々の構成でなる中心部と、羽根部とによって羽根車を構成するようにしても良い。
【００９０】
さらに上述した実施の形態においては、収容空間としての収容空間３０Ｓと、放出部としての放出部３５と、衝突部としてのビルストッパ３９と、羽根車としての羽根車３８とによって媒体収納装置としてのリジェクト庫１７を構成する場合について述べた。しかしながら本発明はこれに限らず、その他種々の構成でなる収容空間と、放出部と、衝突部と、羽根車とによって媒体収納装置を構成するようにしても良い。
【００９１】
さらに上述した実施の形態においては、搬送部としての搬送部１３と、収容空間としての収容空間３０Ｓと、放出部としての放出部３５と、衝突部としてのビルストッパ３９と、羽根車としての羽根車３８とによって媒体取引装置としての現金自動預払機１を構成する場合について述べた。しかしながら本発明はこれに限らず、その他種々の構成でなる搬送部と、収容空間と、放出部と、衝突部と、羽根車とによって媒体取引装置を構成するようにしても良い。
【産業上の利用可能性】
【００９２】
本発明は、紙葉状の媒体を収容空間内へ放出して集積することにより収納する種々の装置でも利用できる。
【符号の説明】
【００９３】
１、１０１……現金自動預払機、１０、１１０……紙幣入出金機、１１……紙幣制御部、１２……入出金部、１２Ａ……収容器、１２Ｂ……シャッタ、１３……搬送部、１６……紙幣収納庫、１７、１１７……リジェクト庫、１８……取忘収納庫、３０……筐体、３０Ｆ……前側部、３０Ｒ……後側部、３０Ｓ……収容空間、３１……ステージ、３５……放出部、３８、５８、１３８、２３８、３３８……羽根車、３９……ビルストッパ、４１……中心部、４２、６２、１４２、２４２、３４２、４４２、５４２……羽根部、４２Ｅ、６２Ｅ、１４２Ｅ、２４２Ｅ、３４２Ｅ……先端、４２Ｒ、６２Ｒ、１４２Ｒ、２４２Ｒ、３４２Ｒ……根元、４２Ｌ、１４２Ｌ……最長叩付領域、４２Ｓ、１４２Ｓ……最短叩付領域、１４２Ｄ……境界線、ＢＬ……紙幣。
【図１】
2015191329.tif 000003
【図２】
2015191329.tif 000004
【図３】
2015191329.tif 000005
【図４】
2015191329.tif 000006
【図５】
2015191329.tif 000007
【図６】
2015191329.tif 000008
【図７】
2015191329.tif 000009